(57)【要約】【課題】歪みが抑制された薄肉シートを提供する。【解決手段】本発明のシートは、ポリアミド樹脂、ポリカーボネート樹脂、セルロースアシレート樹脂、及びアクリル樹脂から選択される少なくとも１種を含むプラスチックからなる、厚み０．１〜５ｍｍのシートであって、当該シートのレタデーション値の最大値と最小値との差は３０００ｎｍ以下である。本発明のシートは、例えば、ポリアミド樹脂、ポリカーボネート樹脂、セルロースアシレート樹脂、及びアクリル樹脂から選択される少なくとも１種を含むプラスチックを押出成形に付してシート状プラスチックを得、得られたシート状プラスチックを真空成形、圧空成形、若しくは真空圧空成形に付することにより製造することができる。【選択図】なし【特許請求の範囲】
【請求項１】
ポリアミド樹脂、ポリカーボネート樹脂、セルロースアシレート樹脂、及びアクリル樹脂から選択される少なくとも１種を含むプラスチックからなる、厚み０．１〜５ｍｍのシートであって、当該シートのレタデーション値の最大値と最小値との差が３０００ｎｍ以下であるシート。
【請求項２】
曲面形状を有する、請求項１に記載のシート。
【請求項３】
ヘイズ値が５％以下である、請求項１又は２に記載のシート。
【請求項４】
前記プラスチックの２３℃における光弾性係数が０．１×１０-12〜１００×１０-12ｃｍ2／ｄｙｎである、請求項１〜３の何れか１項に記載のシート。
【請求項５】
前記プラスチックが脂環式ポリアミド樹脂を含むプラスチックである、請求項１〜４の何れか１項に記載のシート。
【請求項６】
前記脂環式ポリアミド樹脂が下記式（ad）で表される繰り返し単位を有する、請求項５に記載のシート。
【化１】
2019209616.tif 000009
（式中、Ｘは単結合又は２価の炭化水素基を示し、Ｌは２価の炭化水素基を示す。Ｒ1、Ｒ2はアルキル基を示し、ｍ、ｎは０〜４の整数を示す）
【請求項７】
請求項１〜６の何れか１項に記載のシートを構成要素として含むレンズ。
【請求項８】
請求項１〜６の何れか１項に記載のシートを構成要素として含むシールド。
【請求項９】
請求項１〜６の何れか１項に記載のシートを構成要素として含むレンズ又はシールドを備えた防護具。
【請求項１０】
ポリアミド樹脂、ポリカーボネート樹脂、セルロースアシレート樹脂、及びアクリル樹脂から選択される少なくとも１種を含むプラスチックを押出成形に付してシート状プラスチックを得、得られたシート状プラスチックを真空成形、圧空成形、若しくは真空圧空成形に付することにより、請求項１〜６の何れか１項に記載のシートであって、曲面形状を有するシートを得る、シートの製造方法。
【発明の詳細な説明】
【技術分野】
【０００１】
本発明は、低歪性に優れたシート及びその製造方法に関する。
【背景技術】
【０００２】
プラスチック製の眼鏡のレンズやヘルメットのシールドは、通常、原料であるプラスチックを射出成形に付すことにより製造されている（例えば、特許文献１）。しかし、プラスチックを高速で狭い流路を通過させる射出成形では、得られる成形体に大きな歪みが残存し易い。そして、薄化されたレンズやシールドを射出成形により製造する場合に、特に大きな歪みが残存することが知られている。レンズやシールドに大きな歪みが存在すると、目の疲れや頭痛等の症状を引き起こし、長時間の装着が困難となることが問題であった。また、大きな歪みが存在するレンズやシールドは、加工を施す際に割れが発生し易かった。そのため、歪みが抑制された、薄化レンズや薄化シールドが求められていた。
【先行技術文献】
【特許文献】
【０００３】
【特許文献１】特開２０１０−３７４７５号公報
【発明の概要】
【発明が解決しようとする課題】
【０００４】
従って、本発明の目的は、歪みが抑制された薄肉シートを提供することにある。
本発明の他の目的は、歪みが抑制されたレンズ又はシールドを提供することにある。
本発明の他の目的は、歪みが抑制されたシートを備えた防護具を提供することにある。
本発明の他の目的は、歪みが抑制された、曲面形状を有する薄肉シートの製造方法を提供することにある。
【課題を解決するための手段】
【０００５】
本発明者は上記課題を解決するため鋭意検討した結果、特定のプラスチックを押出成形に付することにより、歪みが抑制された薄肉シートが得られることを見いだした。本発明はこれらの知見に基づいて完成させたものである。
【０００６】
すなわち、本発明は、ポリアミド樹脂、ポリカーボネート樹脂、セルロースアシレート樹脂、及びアクリル樹脂から選択される少なくとも１種を含むプラスチックからなる、厚み０．１〜５ｍｍのシートであって、当該シートのレタデーション値の最大値と最小値との差が３０００ｎｍ以下であるシートを提供する。
【０００７】
本発明は、また、曲面形状を有する前記シートを提供する。
【０００８】
本発明は、また、ヘイズ値が５％以下である前記シートを提供する。
【０００９】
本発明は、また、前記プラスチックの２３℃における光弾性係数が０．１×１０-12〜１００×１０-12ｃｍ2／ｄｙｎである前記シートを提供する。
【００１０】
本発明は、また、前記プラスチックが脂環式ポリアミド樹脂を含むプラスチックである前記シートを提供する。
【００１１】
本発明は、また、前記脂環式ポリアミド樹脂が下記式（ad）で表される繰り返し単位を有する前記シートを提供する。
【化１】
2019209616.tif 000002
（式中、Ｘは単結合又は２価の炭化水素基を示し、Ｌは２価の炭化水素基を示す。Ｒ1、Ｒ2はアルキル基を示し、ｍ、ｎは０〜４の整数を示す）
【００１２】
本発明は、また、前記シートを構成要素として含むレンズを提供する。
【００１３】
本発明は、また、前記シートを構成要素として含むシールドを提供する。
【００１４】
本発明は、また、前記シートを構成要素として含むレンズ又はシールドを備えた防護具を提供する。
【００１５】
本発明は、また、ポリアミド樹脂、ポリカーボネート樹脂、セルロースアシレート樹脂、及びアクリル樹脂から選択される少なくとも１種を含むプラスチックを押出成形に付してシート状プラスチックを得、得られたシート状プラスチックを真空成形、圧空成形、若しくは真空圧空成形に付することにより、前記シートであって、曲面形状を有するシートを得る、シートの製造方法を提供する。
【００１６】
尚、本明細書において、シートのレタデーション値（Retardation；Δｎ・ｄ）は複屈折率（Δｎ）と厚み（ｄ）の積で定義される。
【発明の効果】
【００１７】
本発明のシートは薄く且つ低歪みである。また、透明性に優れる。そのため、本発明のシートからなるレンズやシールドは視認性に優れ、これを使用すれば、歪みにより引き起こされる目の疲れや頭痛などの問題を解消することができる。また、軽量である。そのため、快適に長時間の装着が可能である。更に、加工性に優れ、眼鏡やヘルメット等に加工する際に割れが発生するのを抑制し、歩留まりを向上することができる。
特に本発明のシートが特定のポリアミド樹脂を含むプラスチックで形成される場合、とりわけ軽量であり歪みが小さく、且つ直接孔を開けてもひび割れ等が生じにくく、加工性に優れている。また、耐熱性及び耐薬品性にも優れる。
そのため、本発明のシートは、メガネ（例えば、サングラス、ゴーグル等）やヘルメット（例えば、作業用ヘルメット、バイク用ヘルメット、スポーツ用ヘルメット）、医療用フェイスシールド、フェイスガード等に好適に使用することができる。
【発明を実施するための形態】
【００１８】
［シート］
本発明のシートは、ポリアミド樹脂、ポリカーボネート樹脂、セルロースアシレート樹脂、及びアクリル樹脂から選択される少なくとも１種を含むプラスチックからなる。
【００１９】
本発明のシートの厚みは０．１〜５ｍｍであり、上限は好ましくは４ｍｍ、特に好ましくは２ｍｍである。また、下限は好ましくは０．５ｍｍ、特に好ましくは１ｍｍである。
【００２０】
本発明のシートはレタデーション値のバラツキが小さく、レタデーション値の最大値と最小値との差は３０００ｎｍ以下であり、好ましくは２０００ｍｍ以下、特に好ましくは８００ｍｍ以下、最も好ましくは５００ｎｍ以下である。そのため、本発明のシートは低歪みであり、本発明のシートを用いて形成されたレンズやシールドは、目の疲れや頭痛などの症状を引き起こすことがなく、快適に長時間装着することが可能である。
【００２１】
また、本発明のシートのなかでも、特に平面状シートのレタデーション値の最大値は、例えば３０００ｎｍ以下であり、好ましくは２５００ｎｍ以下、特に好ましくは１８００ｎｍ以下、最も好ましくは１０００ｎｍ以下、とりわけ好ましくは５００ｎｍ以下である。また、最大値の下限は、例えば１００ｎｍ、なかでも１５０ｎｍである。
【００２２】
また、本発明のシートのなかでも、特に平面状シートのレタデーション値の最小値は、例えば１００ｎｍ未満であり、好ましくは７０ｎｍ以下、特に好ましくは５０ｎｍ未満、最も好ましくは４５ｎｍ以下である。また、最小値の下限は、例えば１０ｎｍ、なかでも５ｎｍである。
【００２３】
本発明のシートのなかでも、特に曲面形状のシートのレタデーション値の最大値は、例えば３０００ｎｍ以下であり、好ましくは２５００ｎｍ以下、特に好ましくは２０００ｎｍ以下、最も好ましくは１０００ｎｍ以下、とりわけ好ましくは４００ｎｍ以下である。また、最大値の下限は、例えば１００ｎｍ、なかでも１５０ｎｍ、特に２００ｎｍである。
【００２４】
本発明のシートのなかでも、特に曲面形状のシートのレタデーション値の最小値は、例えば１００ｎｍ未満であり、好ましくは７０ｎｍ以下、特に好ましくは５０ｎｍ未満、最も好ましくは４５ｎｍ以下である。また、最小値の下限は、例えば１０ｎｍ、なかでも５ｎｍである。
【００２５】
本発明のシートは曲面形状を有していてもよく、例えば、レンズ形状やシールド形状であってもよい。
【００２６】
本発明のシートは透明性に優れ、ヘイズ値は例えば５％以下、好ましくは２％以下、特に好ましくは１％以下、最も好ましくは０．９％以下である。そのため、レンズやシールドとして好適に使用することができる。尚、本発明におけるヘイズ値は、ＪＩＳ  Ｋ  ７１３６（２０００）に準拠した方法で測定する。
【００２７】
本発明のシートを形成するプラスチックの２３℃における光弾性係数は、例えば０．１×１０-12〜１００×１０-12ｃｍ2／ｄｙｎであることが歪みを特に小さく抑制することができる点で好ましく、より好ましくは０．１×１０-12〜５０×１０-12ｃｍ2／ｄｙｎ、更に好ましくは０．１×１０-12〜１０×１０-12ｃｍ2／ｄｙｎ、特に好ましくは０．２×１０-12〜７×１０-12ｃｍ2／ｄｙｎ、最も好ましくは１×１０-12〜５×１０-12ｃｍ2／ｄｙｎである。
【００２８】
本発明のシートは、ポリアミド樹脂、ポリカーボネート樹脂、セルロースアシレート樹脂、及びアクリル樹脂から選択される少なくとも１種を含むプラスチックを押出成形に付することにより製造することができる。
【００２９】
尚、押出成形とは、押出機内で加熱溶融したプラスチックをダイス口から吐出し、所望の形状に成形する方法である。
【００３０】
加熱溶融温度は、プラスチック材料によって適宜選択することができるが、例えば１８０〜３５０℃、好ましくは２００〜３３０℃、より好ましくは２３０〜３２０℃である。
【００３１】
本発明のシートのうち、曲面形状を有するシートは、ポリアミド樹脂、ポリカーボネート樹脂、セルロースアシレート樹脂、及びアクリル樹脂から選択される少なくとも１種を含むプラスチックを押出成形に付してシート状プラスチック（若しくは、本発明のシートのうち、平面状シート）を得、得られたシート状プラスチックを真空成形、圧空成形、若しくは真空圧空成形に付することにより製造することができる。
【００３２】
成形に付するシート状プラスチックの厚みとしては、所望の成形品の肉厚より厚めであることが好ましく、例えば所望の成形品の肉厚の１倍を超え、２倍以下であることが好ましく、特に好ましくは１．５〜２倍である。
【００３３】
尚、真空成形とは、押出成形を経て得られたシート状プラスチックを加熱して軟化させ、所望の曲面形状にあった凸型または凹型、もしくは両型にシート状プラスチックを這わせ、金型を真空吸引することにより金型にシート状プラスチックを密着させて成形する方法である。
【００３４】
圧空成形とは、真空吸引の代わりに圧空によりシートを金型に密着させる以外は真空成形と同様の方法である。
【００３５】
真空圧空成形とは、真空吸引と圧空密着を同時もしくは時間差にて実施することによりシートを金型に密着させる以外は真空成形と同様の方法である。
【００３６】
これらの方法によれば、得られるシートの内部に応力が残存するのを抑制することができ、その結果、歪みの発生を抑制することができる。また、射出成形等に比べて、より薄化されたシートを得ることができる。
【００３７】
前記プラスチックは、後述のポリアミド樹脂、ポリカーボネート樹脂、セルロースアシレート樹脂、及びアクリル樹脂から選択される少なくとも１種を含む。その他、光学特性、取扱性等を損なわない範囲内において、添加剤として、例えば、調光材料、光吸収剤（紫外線、青色光、赤外線等）、着色剤、熱安定剤、光安定剤、酸化防止剤、可塑剤、難燃剤、帯電防止剤、粘度調整剤等から選択される１種又は２種以上を含んでいても良いが、プラスチック全量（１００重量％）における前記樹脂の占める割合（２種以上含有する場合はその総量）は、例えば８０重量％以上、好ましくは９０重量％以上、特に好ましくは９５重量％以上である。尚、樹脂の占める割合の上限は１００重量％である。
【００３８】
前記プラスチックとしては、歪みが極めて小さく抑制された薄肉シート（若しくは、レンズ又はシールド）が得られる点で、後述のポリアミド樹脂、セルロースアシレート樹脂、及びアクリル樹脂から選択される少なくとも１種を含むことが好ましい。
【００３９】
前記プラスチックとしては、歪みが極めて小さく抑制され、且つ透明性に特に優れた薄肉シート（若しくは、レンズ又はシールド）が得られる点で、後述のセルロースアシレート樹脂、及びアクリル樹脂から選択される少なくとも１種を含むことが好ましい。
【００４０】
前記プラスチックとしては、歪みが極めて小さく抑制され、且つ透明性に特に優れた薄肉シート（若しくは、レンズ又はシールド）が得られる点、及び軽量であり加工性に優れる点で、後述のポリアミド樹脂、及びポリカーボネート樹脂から選択される少なくとも１種を含むことが好ましく、とりわけポリアミド樹脂を少なくとも含有することが好ましい。
【００４１】
（ポリアミド樹脂）
ポリアミド樹脂は多数のモノマーがアミド結合によって結合したポリマーであり、モノマーであるジアミン成分とジカルボン酸成分との重縮合物や、モノマーであるラクタム類の開環重合物が挙げられる。ジアミン成分及びジカルボン酸成分はそれぞれ１種を単独で、又は２種以上を組み合わせて使用することができる。また、ラクタム類も１種を単独で、又は２種以上を組み合わせて使用することができる。
【００４２】
前記ジアミン成分としては、例えば、下記式（ａ）で表される化合物が挙げられる。
【化２】
2019209616.tif 000003
（式中、Ｌ1は２価の炭化水素基を示す）
【００４３】
上記２価の炭化水素基には、２価の脂肪族炭化水素基、２価の脂環式炭化水素基、２価の芳香族炭化水素基が含まれる。
【００４４】
２価の脂肪族炭化水素基としては、例えば、メチレン基、メチルメチレン基、ジメチルメチレン基、エチレン基、プロピレン基、トリメチレン基等の炭素数１〜２０の直鎖又は分岐鎖状のアルキレン基；ビニレン、１−メチルビニレン、プロペニレン、１−ブテニレン、２−ブテニレン、１−ペンテニレン、２−ペンテニレン基等の炭素数２〜２０の直鎖又は分岐鎖状アルケニレン基；エチニレン、プロピニレン、３−メチル−１−プロピニレン、ブチニレン、１、３−ブタジイニレン、２−ペンチニレン、２−ペンチニレン、２，４−ペンタジイニレン、２−ヘキシニレン、１，３，５−ヘキサトリイニレン、３−ヘプチニレン、４−オクチニレン、４−ノニニレン、５−デシニレン、６−ウンデシニレン、６−ドデシニレン基等の炭素数２〜２０の直鎖又は分岐鎖状アルキニレン基が挙げることができる。
【００４５】
２価の脂環式炭化水素基は脂環の構造式から２個の水素原子を除いた基であり、前記脂環としては、例えば、シクロプロパン、シクロペンタン、シクロヘキサン、シクロヘプタン、シクロオクタン環等の３〜２０員のシクロアルカン環；シクロペンテン、シクロへキセン環等の３〜２０員のシクロアルケン環；パーヒドロナフタレン、ノルボルナン、ノルボルネン、アダマンタン、トリシクロ［５．２．１．０2,6］デカン、テトラシクロ［４．４．０．１2,5．１7,10］ドデカン環等の橋かけ環等が挙げられる。前記脂環は置換基（例えば、炭素数１〜５のアルキル基等）を有していてもよい。また、前記脂環は、２個以上が単結合又は連結基（例えば、２価の脂肪族炭化水素基）を介して結合していてもよい。
【００４６】
２価の芳香族炭化水素基は芳香環の構造式から２個の水素原子を除いた基であり、前記芳香環としては、例えば、ベンゼン、ナフタレン、アントラセン、フルオレン環等の炭素数６〜２０の芳香環が挙げられる。前記芳香環は置換基（例えば、炭素数１〜５のアルキル基、炭素数３〜６のシクロアルキル基等）を有していてもよい。また、前記芳香環は、２個以上が単結合又は連結基（例えば、２価の脂肪族炭化水素基や２価の脂環式炭化水素基）を介して結合していてもよい。
【００４７】
上記式（ａ）中のＬ1が２価の脂肪族炭化水素基である化合物（＝脂肪族ジアミン）としては、例えば、ヘキサメチレンジアミン、トリメチルヘキサメチレンジアミン等が挙げられる。
【００４８】
上記式（ａ）中のＬ1が２価の脂環式炭化水素基である化合物（＝脂環式ジアミン）としては、例えば、ビス（ｐ−アミノシクロヘキシル）メタン、ビス（４−アミノ−３−メチルシクロヘキシル）メタン等が挙げられる。
【００４９】
上記式（ａ）中のＬ1が２価の芳香族炭化水素基である化合物（＝芳香族ジアミン）としては、例えば、ｍ−キシリレンジアミン等が挙げられる。
【００５０】
前記ジカルボン酸成分としては、例えば、下記式（ｃ）で表される化合物が挙げられる。
【化３】
2019209616.tif 000004
（式中、Ｌ2は２価の炭化水素基を示す）
【００５１】
Ｌ2における２価の炭化水素基としては、Ｌ1における２価の炭化水素基と同様の例が挙げられる。
【００５２】
上記式（ｃ）中のＬ2が２価の脂肪族炭化水素基である化合物（＝脂肪族ジカルボン酸）としては、例えば、アジピン酸、ドデカン二酸等が挙げられる。
【００５３】
上記式（ｃ）中のＬ2が２価の脂肪族炭化水素基である化合物（＝脂環式ジカルボン酸）としては、例えば、シクロヘキサン−１，４−ジカルボン酸等が挙げられる。
【００５４】
上記式（ｃ）中のＬ2が２価の芳香族炭化水素基である化合物（＝芳香族ジカルボン酸）としては、例えば、イソフタル酸、テレフタル酸等が挙げられる。
【００５５】
前記ラクタム類としては、例えば、α−ラクタム、β−ラクタム、γ−ラクタム、δ−ラクタム、ε−カプロラクタム、ω−ラウロラクタム等の３〜１３員環を有するラクタムが挙げられる。
【００５６】
本発明においては、なかでも、透明性、耐薬品性、耐衝撃性、耐油性、及び寸法安定性に優れる点で脂環式ポリアミド樹脂［＝ジアミン成分とジカルボン酸成分との重縮合物であって、ジアミン成分とジカルボン酸成分の少なくとも一方が脂環構造を有する化合物（例えば、脂環式ジアミン、脂環式ジカルボン酸）である重縮合物］が好ましい。
【００５７】
前記脂環式ポリアミド樹脂としては、特に、脂環式ジアミンと脂肪族ジカルボン酸との重縮合物が好ましく、とりわけ、下記式（ad）で表される繰り返し単位を有する重縮合物が好ましい。
【化４】
2019209616.tif 000005
（式中、Ｘは単結合又は２価の炭化水素基を示し、Ｌは２価の炭化水素基を示す。Ｒ1、Ｒ2はアルキル基を示し、ｍ、ｎは０〜４の整数を示す）
【００５８】
Ｘ、Ｌにおける２価の炭化水素基としては、Ｌ1における２価の炭化水素基と同様の例が挙げられる。Ｘ、Ｌは同一であってもよく、異なっていてもよい。
【００５９】
Ｒ1、Ｒ2はアルキル基を示し、例えば、メチル、エチル、プロピル、イソプロピル基等の炭素数１〜５の直鎖又は分岐鎖状のアルキル基が挙げられる。Ｒ1、Ｒ2は同一であってもよく、異なっていてもよい。また、ｍ、ｎが２以上の整数である場合、２個以上のＲ1やＲ2は、それぞれ同一であってもよく、異なっていてもよい。本発明においては、なかでも、ｍ、ｎが共にゼロであることが好ましい。
【００６０】
ポリアミド樹脂の重量平均分子量（ポリスチレン換算）は、例えば６０００〜３０００００、好ましくは２００００〜２０００００である。
【００６１】
また、ポリアミド樹脂は、結晶性及び非結晶性の何れであってもよいが、なかでも、透明性に優れる点で、結晶化度の低いもの、或いは結晶サイズが光の波長より小さい微小結晶性のものや、非晶性ポリアミド（非晶性ナイロン若しくは微結晶性ポリアミド）が好ましい。
【００６２】
ポリアミド樹脂の融解温度は、例えば１００〜３５０℃、好ましくは１００〜３２０℃程度である。
【００６３】
ポリアミド樹脂は、一般にアッベ数が高く、例えば３５以上（例えば、３５〜６５）、好ましくは４０以上（例えば、４０〜６５）、より好ましくは４５以上（例えば、４０〜６０）であり、特に５０以上（例えば、５０〜６０）である。
【００６４】
また、ポリアミド樹脂の屈折率は、例えば１．１〜２．０、好ましくは１．２〜１．９、より好ましくは１．３〜１．８である。
【００６５】
アッベ数が高い素材は屈折率が低くなる傾向にあるが、ポリアミド樹脂は、アッベ数と屈折率とが共に高く、好ましい光学機能をバランスよく有している。
【００６６】
ポリアミド樹脂としては、例えば、ダイセル・エボニック（株）製の「Trogamid CX7323」、エムスケミー・ジャパン（株）製の「グリルアミドＴＲ−９０」等の市販品を好適に使用することができる。
【００６７】
ポリアミド樹脂から成るプラスチックは、特に光弾性係数が小さいため、歪みを極めて低く抑制することができる。また、耐熱性、耐薬品性に優れる。その上、適度な硬度を備えると共に加工性に優れ、防護具として加工する際にも割れが発生することを抑制でき、歩留まりの向上に資する。更に、軽量であり、ポリアミド樹脂から成るプラスチックを使用した防護具は軽く、長時間に亘って快適に装着することができる。
【００６８】
（ポリカーボネート樹脂）
ポリカーボネート樹脂は下記式（ｄ）で表される繰り返し単位を有するポリマーである。
【化５】
2019209616.tif 000006
（式中、Ｌ3は２価の炭化水素基を示す）
【００６９】
Ｌ3は２価の炭化水素基であり、Ｌ1における２価の炭化水素基と同様の例が挙げられる。Ｌ3としては、なかでも２価の芳香族炭化水素基が好ましい。
【００７０】
ポリカーボネート樹脂は、例えば、ジヒドロキシ化合物（好ましくは、芳香族しヒドロキし化合物、特に好ましくはビスフェノールＡ）と炭酸ジエステル（例えば、ジフェニルカーボネート等）とをエステル交換反応させる方法等によって製造することができる。
【００７１】
ポリカーボネート樹脂の重量平均分子量（ポリスチレン換算）は、例えば５０００〜３０００００、好ましくは２００００〜２０００００である。
【００７２】
ポリカーボネート樹脂から成るプラスチックは耐熱性に優れ、硬度が高い。その上、衝撃強度も強いので、防護具として使用する際にも割れが発生することを抑制でき、歩留まりの向上に資する。
【００７３】
（セルロースアシレート樹脂）
セルロースアシレート樹脂は、セルロースを構成するβ−１，４結合しているグルコース単位の２位、３位および６位に位置する炭素原子の少なくとも１つにアシル基が結合した重合体（ポリマー）である。本発明においては、なかでも、前記アシル基が炭素数２〜４のアシル基であることが好ましく、特に、アセチル基を少なくとも含有し、２種類以上のアシル基を有する場合は、アセチル基と、プロピオニル基またはブチリル基との組み合わせが好ましい。
【００７４】
セルロースアシレート樹脂の総アシル置換度は、例えば１．０〜２．９７であり、なかでも、耐薬品性と加工性に優れる点で２．０〜２．９が好ましい。
【００７５】
従って、セルロースアシレート樹脂としては、例えば、セルロースジアセテート、セルローストリアセテート等のセルロースアセテート；セルロースアセテートプロピオネート、セルロースアセテートブチレート等のセルロースアセテートＣ3-6アシレートが好ましく、とりわけセルローストリアセテートが好ましい。
【００７６】
セルロースアシレート樹脂は、セルロースの２位、３位および６位に位置する炭素原子に結合する水酸基の少なくとも１つをアシル化することにより製造できる。前記セルロース原料には、綿花リンタや木材パルプ（広葉樹パルプ，針葉樹パルプ）が使用できる。
【００７７】
セルロースアシレート樹脂の重量平均分子量（ポリスチレン換算）は、例えば５００００〜２０００００、好ましくは６００００〜１６００００である。
【００７８】
セルロースアシレート樹脂から成るプラスチックは光弾性係数が小さいため歪みを極めて低く抑制することができる。また、耐熱性に優れ、硬度が高く、その上、軽量である。そのため、セルロースアシレート樹脂から成るプラスチックを使用した防護具は軽く、長時間に亘って快適に装着することができる。
【００７９】
（アクリル樹脂）
アクリル樹脂は、下記式（ｅ）で表される繰り返し単位を有するポリマーである。アクリル樹脂は下記式（ｅ）で表される繰り返し単位以外にも、下記式（ｅ）で表される繰り返し単位と共重合可能な他の繰り返し単位を有していてもよい。
【化６】
2019209616.tif 000007
（式中、Ｒ3は水素原子又はメチル基を示し、Ｒ4は水素原子又は１価の炭化水素基を示す）
【００８０】
Ｒ4における１価の炭化水素基としては、Ｌ1における２価の炭化水素基に対応する１価の基が挙げられる。
【００８１】
アクリル樹脂としては、例えば、（メタ）アクリル酸エステルの単独又は共重合体、（メタ）アクリル・ウレタン共重合体（特に、（メタ）アクリル・ウレタングラフト共重合体）、スチレン−（メタ）アクリル酸エステル共重合体、酢酸ビニル−（メタ）アクリル酸エステル共重合体、エチレン−（メタ）アクリル酸エステル共重合体、エチレン−（メタ）アクリル酸共重合体、（メタ）アクリル酸エステル−（メタ）アクリル酸共重合体、スチレン−アクリロニトリル−（メタ）アクリル酸エステル共重合体、スチレン−（メタ）アクリル酸エステル−（メタ）アクリル酸共重合体、スチレン−アクリロニトリル−（メタ）アクリル酸エステル−（メタ）アクリル酸共重合体、エチレン−酢酸ビニル−（メタ）アクリル酸エステル共重合体、ビニルピロリドン−（メタ）アクリル酸エステル共重合体、スチレン−ブタジエン−（メタ）アクリル酸共重合体等が挙げられる。
【００８２】
アクリル樹脂の重量平均分子量（ポリスチレン換算）は、例えば６０００〜５０００００、好ましくは２００００〜３５００００である。
【００８３】
アクリル樹脂から成るプラスチックは光弾性係数が小さいため歪みを極めて低く抑制することができる。また、耐熱性に優れ、硬度が高く、軽量である。そのため、アクリル樹脂から成るプラスチックを使用した防護具は軽く、長時間に亘って快適に装着することができる。
【００８４】
［レンズ］
本発明のレンズは上記シートを構成要素として含む。若しくは、本発明のレンズは上記シート（特に、曲面形状を有するシート）から成る。本発明のレンズは上記シートのみから成るものであっても、上記シート以外に他の構成要素を含んでいてもよく、例えば、所望の機能を備えた層（例えば、ハードコート層、反射防止層、防曇層、防汚層、ミラー層等の機能層）の１層又は２層以上が、接着層を介してシート表面に積層されていても良い。
【００８５】
前記接着層を形成する接着剤としては、本発明のシートと機能層とを接着可能であれば特に限定されず、例えばアクリル系、ウレタン系（例えば、ウレタンエステル系、ウレタンエーテル系）、エポキシ系、酢酸ビニル系等の慣用の接着剤を用いることができる。なかでも、ウレタン系（例えば、ウレタンエステル系、ウレタンエーテル系）接着剤が接着強度に優れる点で好ましく用いられる。例えば、東洋モートン（株）製のエステル系ポリウレタン「ＴＭ−５９５」等の主剤と硬化剤（商品名「ＣＡＴ−１０Ｌ」、「ＣＡＴーＲＴ８５」等）との組み合わせからなるドライラミネート接着剤が市販されている。
【００８６】
接着剤は、硬化後の厚みが、例えば０．１〜８０μｍ、好ましくは１〜６０μｍ、特に好ましくは５〜４０μｍとなる範囲で塗布することが好ましい。
【００８７】
接着剤の塗布は、例えば、印刷法、コーティング法等により行うことができる。具体的には、スクリーン印刷法、マスク印刷法、オフセット印刷法、インクジェット印刷法、フレキソ印刷法、グラビア印刷法、スタンピング、ディスペンス、スキージ印刷法、シルクスクリーン印刷法、噴霧、刷毛塗り等が挙げられる。
【００８８】
本発明のレンズは、歪みが極めて低く抑制された上記シートを備えるため、目の疲れや頭痛などの問題の発生を抑制することができる。また、軽量である。そのため、快適に長時間の装着が可能である。
【００８９】
［シールド］
本発明のシールドは上記シートを構成要素として含む。若しくは、本発明のシールドは上記シート（特に、曲面形状を有するシート）から成る。本発明のシールドは上記シートのみから成るものであっても、上記シート以外に他の構成要素を含んでいてもよく、例えば、所望の機能を備えた層（例えば、ハードコート層、反射防止層、防曇層、防汚層、ミラー層等の機能層）の１層又は２層以上が、接着層を介してシート表面に積層されていても良い。
【００９０】
本発明のシールドは、歪みが極めて低く抑制された上記シートを備えるため、目の疲れや頭痛などの問題の発生を抑制することができる。また、軽量である。そのため、快適に長時間の装着が可能である。
【００９１】
［防護具］
本発明の防護具は上記レンズ又はシールドを備える。本発明の防護具には、例えば、メガネ（例えば、サングラス、ゴーグル等）やヘルメット（例えば、作業用ヘルメット、バイク用ヘルメット、スポーツ用ヘルメット）、医療用フェイスシールド、フェイスガード等が含まれる。
【００９２】
本発明の防護具は、軽量であり、歪みが極めて低く抑制された上記レンズ又はシールドを備えるため、目の疲れや頭痛などの問題の発生を抑制することができ、快適に長時間の装着が可能である。
【実施例】
【００９３】
以下、実施例により本発明をより具体的に説明するが、本発明はこれらの実施例により限定されるものではない。
【００９４】
実施例１
（押出成形）
ポリアミド樹脂［ダイセル・エボニック（株）製、商品名「トロガミド CX7323」、アッベ数４５、ガラス転移温度１４０℃］を２９０℃で加熱溶融したものを押出成形に付して、シート状プラスチック（１）（縦×横＝３０ｃｍ×３０ｃｍ、厚み：２ｍｍ）を得た。
【００９５】
（真空成形）
得られたシート状プラスチック（１）を、トムソン刃を用いて長径８０ｍｍ×短径５０ｍｍの小判形状に打ち抜き、レンズ６カーブ形状に切削加工した金属型（金型温度９０℃）を使用して真空成形をすることで、眼鏡用レンズ（１）（厚み：１．９ｍｍ）を得た。
【００９６】
実施例２
ポリアミド樹脂に代えてポリカーボネート樹脂（商品名「ユーピロン」、三菱エンジニアリング（株）製）を使用した以外は実施例１と同様にして、シート状プラスチック（２）（厚み：４ｍｍ）を得た。
【００９７】
また、シート状プラスチック（１）に代えてシート状プラスチック（２）を使用した以外は実施例１と同様にして眼鏡用レンズ（２）（厚み：３．９ｍｍ）を得た。
【００９８】
実施例３
ポリアミド樹脂に代えてトリアセチルセルロース樹脂（商品名「テナイト」、イーストマン社製）を使用した以外は実施例１と同様にして、シート状プラスチック（３）（厚み：０．５ｍｍ）を得た。
【００９９】
また、シート状プラスチック（１）に代えてシート状プラスチック（３）を使用した以外は実施例１と同様にして眼鏡用レンズ（３）（厚み：０．５ｍｍ）を得た。
【０１００】
実施例４
ポリアミド樹脂に代えてアクリル樹脂（商品名「パラペット」、（株）クラレ製）を使用した以外は実施例１と同様にして、シート状プラスチック（４）（厚み：２ｍｍ）を得た。
【０１０１】
また、シート状プラスチック（１）に代えてシート状プラスチック（４）を使用した以外は実施例１と同様にして眼鏡用レンズ（４）（厚み：１．８ｍｍ）を得た。
【０１０２】
比較例１
押出成形に代えて、射出成形（ファナック（株）製射出成形機を使用、樹脂温度２９０℃、金型温度９０℃）を行った以外は実施例１と同様にして、シート状プラスチック（５）（縦×横＝３０ｃｍ×３０ｃｍ、厚み：２ｍｍ）を得た。
【０１０３】
比較例２
押出成形に代えて、射出成形を行った以外は実施例１と同様にして、眼科用レンズ（６）（縦×横＝６ｃｍ×８ｃｍ、厚み：１．９ｍｍ）を得た。
【０１０４】
実施例及び比較例で得られたシート状プラスチックのレタデーション値、ヘイズ値、及び光弾性係数を以下の方法で測定した。
レタデーション値：レタデーション測定装置RETS-4200RV（大塚電子（株）製）を使用して測定した。
ヘイズ値：濁度計NDH 7000（日本電色（株）製）を使用して測定した。
光弾性係数：円偏光測定装置 KOBRA-WPR（王子計測機器（株）製）を使用して測定した。
【０１０５】
実施例及び比較例で得られた眼鏡用レンズのレタデーション値、ヘイズ値、及び光弾性係数を上記と同様の方法で測定した。
【０１０６】
上記結果を下記表にまとめて示す。
【表１】
2019209616.tif 000008